(57)【特許請求の範囲】
【請求項１】
利用者（１００）を吊上げるためのハーネスにおいて、前記ハーネスは、前記利用者（１００）のウェストから脇の下までの胸郭を略円筒状に包み込むように形成したチェストハーネス（１）と、前記利用者（１００）の骨盤の周囲に巻き付けて締め付け量を調整できるように形成した臀部支持ベルト（２）とを有し、前記チェストハーネス（１）は、前記利用者（１００）の体格に合わせて巻き付け方向に伸縮自在な構造を持ち、前記利用者（１００）が立位で前記チェストハーネス（１）を装着した時の上側に、リフトの吊具（１０１）に引掛けて前記利用者（１００）の重心をバランスよく支持するよう略円筒状の周方向に分散して配置した吊ベルト（３）と、前記チェストハーネス（１）の前部に垂れ下がるように取り付けられた少なくとも一つの吊上げベルト（３７）とを有し、前記吊上げベルト（３７）は、前記チェストハーネス（１）との縫合固定端（３８）とは逆側の先端（３９）に第２の面ファスナーオス側テープ（４０）を有し、前記臀部支持ベルト（２）は、その両端に構造体に相当する広幅ベルト（５０）の長さを調節して固定する機能を持った１対のワンタッチバックルのメス側（５３）及びワンタッチバックルのオス側（５５）と、前記１対のワンタッチバックル（５３）（５５）に隣接した内側に前記広幅ベルト（５０）の長さ方向に移動可能に貫通された少なくとも一つのベルトリング（５６）と、前記ベルトリング（５６）に貫通して保持された第二の四角環（５７）とを有し、前記利用者（１００）が、前記チェストハーネス（１）と、前記チェストハーネス（１）の前記吊上げベルト（３７）が前記臀部支持ベルト（２）の前記第二の四角環（５７）と対をなし、かつ前記臀部支持ベルト（２）の上端が前記チェストハーネス（１）の下端とほぼ平行をなすように前記臀部支持ベルト（２）を装着したのち、前記吊上げベルト（３７）が対応する前記臀部支持ベルト（２）の第二の四角環（５７）を貫通したのち上方へ折返し、前記吊上げベルト（３７）の前記第２の面ファスナーオス側テープ（４０）が前記チェストハーネス（１）の胸側シート（１１）の面ファスナーメス側シート（２２）の任意の位置に係合できるようにして、前記チェストハーネス（１）の前部下端と前記臀部支持ベルト（２）の前部上端との距離を調整可能に吊上げて固定できるように構成することで、前記チェストハーネス（１）は前記利用者（１００）の上半身を略円筒状に包み込んで保持した状態で前記利用者（１００）の上半身を吊上げる一方、前記臀部支持ベルト（２）は前部の持ち上げによって前記利用者（１００）への巻付け接触面が前記利用者（１００）の体軸と傾斜することで締付力が増し、強い摩擦効果を得て前記利用者（１００）が滑り抜けることなく下半身を保持しつつ、同時に前記臀部支持ベルト（２）前部の持上げ距離に応じた前記吊上げベルト（３７）の張り具合によって前記利用者（１００）が必要とする程度に下半身を吊上げる張力を獲得することで、前記チェストハーネス（１）と前記臀部支持ベルト（２）とが、前記利用者（１００）の上半身と下半身の体重を前記利用者（１００）の体格や体調の個人差に応じた快適で無理のない配分で分担して吊上げるように構成してなることを特徴とするハーネス。
【請求項２】
前記チェストハーネス（１）から前記臀部支持ベルト（２）を吊上げる機構は、前記臀部支持ベルト（２）の前記ベルトリング（５６）に貫通された第二の四角環（５７）の代わりに前記ベルトリング（５６）に固定されたカムバックル（７５）とし、前記チェストハーネス（１）の前部に垂れ下がるように取り付けられた前記吊上げベルト（３７）を前記カムバックル（７５）と係合させて、前記カムバックル（７５）の機能を利用して前記臀部支持ベルト（２）前部の持上げ距離を任意長さに調整しかつ固定することで、前記利用者（１００）の下半身を吊上げる張力を獲得することを特徴とする、請求項１に記載のハーネス。
【請求項３】
前記臀部支持ベルト（２）は、前記利用者（１００）の臀部が当接する部分に付加してなる板状補強体（５８）を介して前記利用者（１００）へ吊上げ力を伝達することで、前記臀部支持ベルト（２）前部を吊上げた際に前記利用者（１００）に負荷される骨盤への締付圧縮を軽減させたことを特徴とする、請求項１ないし請求項２のいずれかに記載のハーネス。
【請求項４】
前記チェストハーネス（１）をウェスト部のみに巻付ける腰ベルト（７１）とし、前記腰ベルト（７１）に、前記利用者（１００）のウェスト部から肩までの距離よりも短い長さの吊ベルト（７３）を縫合してなることを特徴とする、請求項１ないし請求項３のいずれかに記載のハーネス。
【請求項５】
前記短い長さの吊ベルト（７３）を、介助者が握って使用するための握りループ（７２）となし、少なくとも一つを前記腰ベルト（７１）の周囲に縫合してなることを特徴とする、請求項４に記載のハーネス。
【発明の詳細な説明】
【技術分野】
【００１】  本発明は、利用者を介護リフト等で吊上げる際に用いるハーネスに関し、特に、適度な運動負荷に調節したうえで立上りや歩行訓練を行う免荷式リフトを利用する際に用いるハーネスに関する。また、リフト等の機器を用いず、介助者が直接に被介護者の体を保持して介助する時に、保持を確実とするために被介護者に装着して用いる補助具に関する。
【背景技術】
【００２】  介護リフト等で利用者を吊上げて歩行訓練等を行う場合、利用者の体重を確実に支持しつつも利用者の足の運びの動きやすさを阻害しないことを目的に種々のハーネス（呼称は他に、リフト用装着具・スリングシート等）が提案されている。（例えば特許文献１〜２）
例えば、特許文献１においては、ベスト状の上着と、大腿部を支持しつつも運動の自由度を阻害しないように配置された大腿部ベルトと、リフト吊具に引掛けるストラップで構成されている。また、特許文献２においては、臀部を包み込むシート本体と、シート本体に縫合あるいは相対位置を拘束された腰ベルト及び臀部下部ベルトと、リフト吊具に引掛けるストラップから構成されている。【００３】  また、自らの力で立ち上がることが困難であったり、起立姿勢の保持や歩行が困難である被介護者を、介助者が直接に被介護者の体に手を添えて起立や歩行の介助を行う場合、被介護者を確実に保持し、転倒等を回避することを目的に、種々の補助具（呼称は、介護ベルト等）が提案されている。（例えば特許文献３）
特許文献３においては、腰部を包み込むように巻き廻すベルト本体と、その下端に設けられて左右の太腿部に巻き廻す一対の脚バンドと、ベルト本体に設けられて介助者が握って保持する一対の把持部とから構成されている。
【先行技術文献】
【００４】
【特許文献１】  特許４６９７６２３号
【特許文献２】  特開２０１１−８３４６０
【特許文献３】  特許４６０２５２２号
【発明の開示】
【発明が解決しようとする課題】
【００５】  免荷リフトを利用した歩行等のリハビリテーションは、利用者が自力で体重を支えきれない場合でも、リフト装置で力を補うことによって本人の残存能力を活かしつつ自律的運動を促進できることから、運動をあきらめることによって生じる廃用症候群の進行を防ぐことができ、また、免荷力（引上げ力）を調節して個々の利用者に適合した運動負荷を与えることができることからリハビリ効果が高く、比較的短期間に運動能力を回復することができるようになると、その有効性が評価されている。【００６】  しかし、例えば特許文献１にあっては、免荷リフト等を使用の際、体に装着するハーネスが吊上げ荷重によって徐々にずりあがり、ベスト状の上着が脇の下に接触し、また、大腿部ベルドが股間に上昇してくることで痛みを生じることから、長時間の着用が出来ず十分な訓練時間がとりにくいという課題があった。また、大腿部ベルトは足の運びの邪魔にならないよう工夫しても異物の存在感が解消できないことから股を開き目にした立位姿勢をとる傾向があり訓練に影響を及ぼしたり、また、特に女性においては大腿部ベルトの装着自体を回避したがるという課題もあった。【００７】  また、例えば特許文献２においては、腰ベルトと臀部下部ベルトがシート本体の寸法に拘束されてベルト間の距離が調節できないため、どちらかのベルトが適切な位置からずれてしまい装着感が悪いというばかりでなく、臀部下部ベルトが適切な位置に配置されない場合にはずり上がり防止の効果が無くなるという課題があった。また、全身の重心よりも下位置にある腰ベルトを吊っているために、歩行や立上り訓練で前かがみ姿勢を取った場合には、腰ベルトの吊り支点を中心に回転し頭部が下がり足が浮いてしまうことによって転倒が生じる危険性があった。特に全体重を吊上げる介護リフトの場合では逆さ吊りとなる恐れもあった。【００８】  また、免荷リフト等の機器を用いず、人力で介助する事例である特許文献３においては、介助者がベルト本体に設けられた把持部を握って持上げ被介護者の体重を支えた場合、ベルト本体のずり上がりを防止するための脚バンドが股間に上昇してくることで痛みを生じる等の点で、特許文献１と同様の課題があった。【００９】  以上を踏まえ、リハビリ施設等における免荷リフト、あるいは介護ベルト等の、人体吊上げ用ハーネスは、不特定多数の利用が想定されることから、個々の利用者の体型にフィット感よく簡単に合わせられ、個々人に合った免荷力や荷重を加えて必要な時間だけ利用しても痛みを生じることが無く、かつ安全性の高いものとすることが課題である。
【課題を解決するための手段】
【０１０】  ウェストを含む上半身（以下上半身と呼ぶ）に装着した部材によって人体を吊上げ、あるいは持上げようとする際、吊上げ荷重による上半身吊上げ部材のずり上がりを防ぐことを目的に、骨盤下部の恥骨付近の高さに臀部支持ベルトを利用者の体軸に垂直に巻き廻し、その後前記臀部支持ベルトの前部を上半身に装着した部材から吊上げ、臀部支持ベルトの後部は臀部の膨らみの下を支持したままとなるように利用者の体軸に斜めに配置するようにした人体吊上げ用ハーネスを用いる。【０１１】  免荷リフトを利用する際には、ウェストから脇の下までの胸郭を包み込むチェストハーネス１と、骨盤下部の周囲に巻付けたのち前記チェストハーネス１の胸側シート１１から骨盤前の部分を高さ調節可能に吊上げて臀部を支持する臀部支持ベルト２と、前記チェストハーネス１の上部に取り付けられて免荷式リフトの吊具に引掛けられる吊ベルト３を有する、人体吊上げ用ハーネスを用いる。【０１２】  機器を用いず、介護ベルトとして使用する際には、ウェスト部に巻き廻した腰ベルト７１と、骨盤下部の周囲に巻付けたのち、前記腰ベルト７１の前部から骨盤前の部分を高さ調節可能に吊上げて臀部を支持する臀部支持ベルト２と、前記腰ベルト７１に取り付けられた握りループ７２からなる人体吊上げ用ハーネスを用いる。
【発明の効果】
【０１３】  本発明によれば、下記の効果を享受できる。
チェストハーネス（あるいは腰ベルト）と臀部支持ベルトが分離独立しており、個別に装着位置を最適位置に調節することができるので、体格の異なる不特定多数の利用者が簡単にフィット感よく装着できる。【０１４】  また、臀部支持ベルトがチェストハーネスのずり上がりを完全に押さえることにより、チェストハーネス接触による脇の下の痛みの発生を完全に防ぐことができる。【０１５】  また、上半身に装着した部材、即ちチェストハーネス（あるいは腰ベルト）と臀部支持ベルトが、それぞれに上半身と下半身の体重を分散して支持するため、特定の身体部位への荷重集中がなく、長時間の装着と訓練・利用が可能である。【０１６】  また、臀部支持ベルトを吊上げる吊上げベルトの張り具合によって、チェストハーネスによる上半身支持と臀部支持ベルトによる下半身支持の荷重配分が可能となり、利用者個々人の状態に応じた快適な免荷力に調整ができる。【０１７】  また、荷重分散により大きな免荷荷重を加えることができ、従来よりも体重の大きな人や残存能力の少ない人にも免荷リフトによるリハビリ訓練が可能になる。【０１８】  また、臀部支持ベルトを用いることにより、大腿部ベルトが存在しないので、ずり上がりによる股間の痛みを生じさせることがない。また、大腿部に異物の接触がないため、自然な立位姿勢が取れる。また、女性の装着拒否がなくなる。【０１９】  また、チェストハーネスによって吊ポイントが身体重心より上になるため転倒や逆さづりの心配がなく、床面からの立上りなど前傾姿勢も含んだ動作のリハビリ訓練が安全に実施できる。
【発明の実施の形態及び実施例】
【０２０】  本発明の実施の形態と実施例について、免荷リフトを利用する際を事例として述べる。
図１〜図５に示すように、チェストハーネス１は、胸側と背側の２枚のシートからなり、上端４１・４２は利用者１００の脇の下から２〜１０ｃｍ下方にあり、下端４３．４４は骨盤上端から０〜５ｃｍ下方にある。
【０２１】  胸側シート１１の表側は面ファスナー（例えばマジックテープ）メス側シート２２であり、利用者１００の体に接触する面は衣服と摩擦して滑りにくい材質（例えばゴムライニングのネット）のインナーシート２１であり、これらを重ねて縫合することにより構成されている。面ファスナーメス側シート２２とインナーシート２１との間には、胸側シート１１の好ましい形状を保つために適度な剛性を持った心材や、身体への接触圧力の分散を目的としたクッション材を配置してもよい。
【０２２】  背側シート１２は中央部が伸び縮みする弾性シート２３（例えば弾性材のネット）であり、その左右に配置される分割シート２４は、表側が面ファスナーメス側シート２２であり、利用者１００の体に接触する面は衣服と摩擦して滑りにくい材質のインナーシート２１であり、これらを重ねて縫合することにより構成されている。面ファスナーメス側シート２２とインナーシート２１との間には、背側シート１２の好ましい形状を保つために適度な剛性を持った心材や、身体への接触圧力の分散を目的としたクッション材を配置してもよい。また、背側シート１２の体に接触する側の両端先端部２５には面ファスナーオス側シート２６が縫合されている。
【０２３】  また、背側シート１２の左右の分割シート２４が中央の弾性ネット２３と接する縁の上部に締付用固定側ベルト２７の一端２８が縫合され、他の一端２９は縁の下部に縫合されている。締付用固定側ベルト２７の長さ方向のほぼ中央には第一の四角環３０が取り付けられている。分割シート２４の先端部２５に近い下位置には締付用調整側ベルト３１の一端３２が縫合されており、締付用調整側ベルト３１の他端先端３３は第一の四角環３０を通って反転し分割シート２４の先端部２５に近い上位置に達するが、締付用調整側ベルト３１の先端３３に縫合された第一の面ファスナーオス側テープ３４によってこの位置で分割シート２４の表面の面ファスナーメス側シート２２に固定される。
【０２４】  締付用固定側ベルト２７と締付用調整側ベルト３１は第一の四角環３０を交差ポイントとしたＸ字状に配置される。また、締付用ベルトのセット２７・３１は背側シート１２の中央の弾性シート２３の両側に設けられるので、２組の締付ベルトが重なって配置された状態となる。
【０２５】  このように構成されたチェストハーネス１は、最初に胸側シート１１を利用者１００の体前面に巻付け、次に締付用調整ベルト３１が緩められた状態で背側シート１２を体後面に巻付けて弾性シート２３を伸ばすように背側シート１２の両端先端部２５を引っ張ったのちに面ファスナーオス側シート２６を胸側シート１１に押し付けてその表面の面ファスナーメス側シート２２と係合させることで、胸側シート１１と背側シート１２が一体となって利用者１００の胸郭を包み込むことが出来る。更に締付用調整側ベルト３１を適宜引っ張ってチェストハーネス１をより胸郭に密着させて固定することが出来る。
【０２６】  胸側シート１１や背側シート１２は長方形の形状が製作上は好ましいが、チェストハーネス１の全面を利用者１００の胸郭にもっと密着させるためには、装着後のチェストハーネス１の形状が上側が開いた円錐台形状となることから、胸側シート１１や背側シート１２を円錐台を展開した形状に近づけてもよい。
【０２７】  また、図６に示すように、胸側シート１１や背側シート１２の脇の下に当接する部分を下方に切込み、吊ベルト３を縫合接続する部分を上方に伸ばしたベスト形状であってもよい。
【０２８】  また、ここまでの事例では背側シート１２に弾性シート２３を組み込む構造としたが、弾性シート２３を胸側シート１１に組み込み、背側シート１２を分割しない構造をとることもできる。この場合、装着者にとって締付用調整側ベルト３１の全体が見易い位置にくることから、チェストハーネス１を利用者自身で装着できるようになることが期待できる。
【０２９】  チェストハーネス１にはリフトの吊具１０１に引掛けられる吊ベルト３が１対配置される。吊ベルト３はその一端３５が胸側シート１１の前面上部４１で左右の脇の下間の距離よりもやや狭い位置に縫合され、他端３６は分割シート２４の上部４２で脇の下間の幅よりもやや狭い位置に縫合される。
【０３０】  吊ベルト３はチェストハーネス１と分離した方がいい場合には、チェストハーネス１の上部でワンタッチバックルで取り付けられる構造としてもよい。このようにすると、利用者がチェストハーネス１を装着する時に吊ベルト３が邪魔にならず、装着作業性がよくなることが期待できる。また、吊ベルト３がリフトの吊具１０１から取り外しできない場合にチェストハーネス１の上部で取り外しができるようになる。
【０３１】  胸側シート１１には縫合した左右の吊ベルト３の延長位置に臀部支持ベルト２を吊上げるための１対の吊上げベルト３７の一端３８が縫合される。他端３９の先端部には第一の面ファスナーオス側テープ４０が縫合されている。吊上げベルト３７は吊ベルト３と分離せず一体であってもよい。
【０３２】  図７に示すように、臀部支持ベルト２は５０ｍｍ程度の広幅ベルト５０が構造体となり、体に接触する側に摩擦係数の高い表面を持った弾性パッド５１が複数枚縫合されクッションとして身体への接触圧力が分散される構造となっている。
【０３３】  臀部支持ベルト２の長手方向一端５２にはワンタッチバックルのメス側５３が固定され、他端５４にはワンタッチバックルのオス側５５を配置するが、市販されているワンタッチバックルのオス側５５では広幅ベルト５０の長さ方向の取付位置を自在に調整し、かつ希望の位置でロック固定できる構造となっている。
【０３４】  これらワンタッチバックル５３・５５のそれぞれの内側位置に広幅ベルト５０が貫通する形でベルトリング５６を２個配置し、このベルトリング５６に第二の四角環５７が取り付けられている。ここで、ベルトリング５６は広幅ベルト５０に縫合固定されていないので、利用者１００のヒップサイズに応じて広幅ベルト５０の長手方向に自由に位置を変えて摺動することができる。また、広幅ベルト５０に縫合されている弾性パッド５１がストッパーとなって身体前面から大きく移動してしまうこともない。
【０３５】臀部支持ベルト２は、図１４に示すように、体軸に垂直に骨盤の周囲を一周するように巻きつけられるが、この場合、臀部支持ベルト２は骨盤の前側では概ね恥骨の位置を通り、骨盤の後ろ側では臀部の膨らみの下側を通る位置に巻き掛けるようにする。この位置でワンタッチバックルのオス側５５の長さ調節機能を用いて臀部支持ベルト２をしっかりと骨盤に締付け、次にチェストハーネス１から垂れ下がっている吊上げベルト３７を臀部支持ベルト２の第二の四角環５７に通し、吊上げベルト３７の先端３９を上方に引き込んで臀部支持ベルト２を必要なだけ上方に引上げ、吊上げベルト３７の先端３９に縫合された第二の面ファスナーオス側テープ４０を胸側シート１１の表面の面ファスナーメス側シート２２に係合して固定する。
【０３６】  こうすることによって、臀部支持ベルト２の前部はチェストハーネス１の前部の特定場所（例えば胸側シート１１の下端４３）との距離が決められるので利用者の体格に合った位置に配置することが出来、かつ吊上げベルト３７の張り具合、即ち吊上げベルト３７の張力によって臀部支持ベルト２が利用者１００の下半身を持ち上げる力を設定することが出来る。図１３に、電柱や長い丸太等を安全に吊上げる時の吊上げ方法を例示した。電柱等にワイヤを巻き廻し、巻き廻したワイヤの一端を吊上げて電柱の長手軸に対してワイヤの巻き廻し面が傾斜した状態となった時に、重量物が滑り落ちることなく確実に吊上がる摩擦力を確保できている原理は、本提案と共通している。
【０３７】  臀部支持ベルト２は、構造体である広幅ベルト５０と弾性パッド５１によって構成されるとしたが、図８に示すように、広幅ベルト５０が臀部に接触する位置で、弾性パッド５１との間に、広幅ベルト５０と同程度の幅を持ち、骨盤の幅より短めの長さで、適度な剛性のある板状補強体５８を挟み込む構造としてもよい。この時、板状補強体５８は、広幅ベルト５０に縫合されて面ファスナーで筒状に形成される筒布５９の内部に収納され、弾性パッド５１は筒布５９に縫合されている。このように構成した場合、板状補強体５８は利用者に対しブランコの座面に着座したかのような安定した感触を与え、また、臀部支持ベルト２を巻き廻して骨盤を締め付けた時の締付圧縮作用を緩和するので、下半身の吊上げ荷重を大きくするために吊上げベルト３７を強く引き上げた場合でも、痛みを生じさせることが無い。図８は、構造が解りやすいように便宜上各部品を分離して表記してあるが、実際は広幅ベルト５０の厚み方向に密着している。
【０３８】  本実施例では、強度的な信頼性確保と低コストを目的に、吊上げベルト３７を第二の四角環５７を通して長さ調整したのち、その端部３９の第二の面ファスナーオス側テープ４０で胸側シート１１へ固定されるとしたが、臀部支持ベルト２の高さ位置を調整した後にロック固定できる機能があれば他の方法によっても差し支えなく、例えば、長さ調整はカムバックル、スライディングバックル・移動カン（コキカン）等によってもよく、また、ベルト通しの煩雑さを解消することも兼ねてワンタッチバックル等を使用してもよい。吊上げベルト３７はベルトでなくロープ・ワイヤ等であってもよい。また、長期間の信頼性や作業性を考慮しない緊急避難的使用の場合は、前述した特別な部品を使用しなくともロープワークや丈夫な布で作った紐を結んで行うことでもよい。
【０３９】  チェストハーネス１と臀部支持ベルト２を前述説明のように使用すると、チェストハーネス１は円錐台形状と胸郭締付によって上半身を包み込んで吊り上げ、同時に臀部支持ベルト２によって骨盤から下の下半身を吊り上げる状態となるため吊上げ荷重が分散され、免荷荷重を大きくとったとしても特定箇所が痛くなる等の従来品の課題を解消できる。
【０４０】  また、本実施例では、人体頭部より上に吊り棒が存在する大型の介護リフトを想定したので、ウェストから脇の下までの胸郭を包み込むチェストハーネス１と、臀部を支持する臀部支持バンド２と、免荷式リフトの吊り具１０１に引掛けられる吊ベルト３からなる人体吊上げ用ハーネスを例として説明したが、図９に示すように介護リフトの構造上、吊ポイントが低い位置にある場合には、その高さに応じて吊ベルト３を短くしてもよい。
【０４１】  また、図１０に示すように、吊ポイントが更に低く脇の下よりも下にある等の場合には、チェストハーネス１と吊ベルト３に代えて、腰ベルト７１と、腰ベルト７１に設けられた短い長さの吊ベルト７３としてもよい。
ここで、腰ベルト７１は図７に示した臀部支持ベルト２と同様の構造のものであるが、図１１に示すように、ベルトリング５６及び第二の四角環５７は省略され、その位置に広幅ベルト５０が貫通する形で、臀部支持ベルト２を吊上げるための腰ベルト用吊上げベルト７４が配置される。ここで、腰ベルト用吊上げベルト７４は広幅ベルト５０に縫合固定されていないので広幅ベルト５０の長手方向に自由に位置を変えて摺動することができる。また、広幅ベルト５０に縫合されている弾性パッド５１がストッパーとなって身体前面から大きく移動してしまうこともない。また、腰ベルト７１の広幅ベルト５０には、短い長さの吊ベルト７３が２個縫合されている。
【０４２】  腰ベルト７１と組み合わせて使用する臀部支持ベルト２の第二の四角環（図７における５７）は、固定位置を調節できるコキカン等に変更されるが、操作の簡便さからカムバックル７５であることがより好ましい。
【０４３】  更に、機器を用いず、人力の介護ベルトとして使用する際には、図１２に示すように、腰ベルト７１に設ける短い長さの吊ベルト７３に代えて、介助者が操作し易い握りループ７２とし、かつ、握りループ７２を腰ベルト７１の全周に必要数だけ縫合するようにしてもよい。
【０４４】  また、前述した臀部支持ベルト２や腰ベルト７１に対して弾性パッド５１は必須ではなく、広幅ベルト５０の表面摩擦や厚み剛性等の性状から使用感が充分と認められる場合や、製作コストを重視する場合等においては弾性パッド５１を省略してもよい。この場合、図示しないが、前述したベルトリング５６や腰ベルト用吊上げベルト７４の摺動範囲を制限するため、別途方策を講じる。
【図面の簡単な説明】
【０４５】
【図１】本発明の人体吊上げ用ハーネスを利用者が装着した時の側面図である。
【図２】本発明の人体吊上げ用ハーネスを利用者が装着した時の正面図である。
【図３】本発明の人体吊上げ用ハーネスを利用者が装着した時の背面図である。
【図４】本発明のチェストハーネスを展開した時の表面図である。
【図５】本発明のチェストハーネスを展開した時の裏面図である。
【図６】本発明のチェストハーネスの別の実施例の裏面展開図である。
【図７】本発明の臀部支持ベルトを展開した時の表面図である。
【図８】臀部支持ベルトに板材を付加した場合の断面構造図である。
【図９】低い吊ポイントに対応した人体吊上げ用ハーネス装着時の側面図である。
【図１０】更に低い吊ポイントに対応した人体吊上げ用ハーネス装着時の側面図である。
【図１１】腰ベルトと臀部支持ベルトの組合せ展開図である。
【図１２】介護ベルトとして使用する際の人体吊上げ用ハーネス装着時の側面図である。
【図１３】摩擦を利用して長い重量物を吊上げる方法の例示図である。
【図１４】本発明の人体吊上げ用ハーネスを装着する際の最初の手順の側面図である。
【符号の説明】
【０４６】１  ：チェストハーネス
２  ：臀部支持ベルト
３  ：吊ベルト
１１：胸側シート
１２：背側シート
２１：インナーシート
２２：面ファスナーメス側シート
２３：弾性シート
２４：分割シート
２６：面ファスナーオス側シート
２７：締付用固定側ベルト
３０：第一の四角環
３１：締付用調整側ベルト
３４：第一の面ファスナーオス側テープ
３７：吊上げベルト
４０：第二の面ファスナーオス側テープ
５０：広幅ベルト
５１：弾性パッド
５３：ワンタッチバックルのメス側
５５：ワンタッチバックルのオス側
５６：ベルトリング
５７：第二の四角環
５８：板状補強体
５９：筒布
６０：縫合の糸
７１：腰ベルト
７２：握りループ
７３：短い長さの吊ベルト
７４：腰ベルト用吊上げベルト
７５；カムバックル
１００：利用者
１０１：リフトの吊具
１１１：ワイヤ
１１２：電柱等
１１３：電柱等の長手軸
１１４：長手軸に対するワイヤ巻き廻し面の傾斜
【要約】
【課題】  免荷式のリフトを用いて歩行や立上り等の訓練を行う際、利用者が装着したハーネスが吊上げによってずれあがり、脇の下等に接触して痛みを生じるため短時間しか着用できず十分な時間をかけた訓練が困難となっている。
【解決手段】  ウェストから脇の下までの胸郭を包み込むチェストハーネス（１）と、骨盤の周囲に巻付けて締めたのちチェストハーネスの胸側シートから骨盤前の部分を高さ調節可能に吊上げて臀部を支持する臀部支持ベルト（２）と、チェストハーネスの上部に取り付けられて免荷式リフトの吊具に引掛けられる吊ベルト（３）を有する人体吊上げ用ハーネスを用いる。
【選択図】図１【図１】
0005444575.tif 000002
【図２】
0005444575.tif 000003
【図３】
0005444575.tif 000004
【図４】
0005444575.tif 000005
【図５】
0005444575.tif 000006
【図６】
0005444575.tif 000007
【図７】
0005444575.tif 000008
【図８】
0005444575.tif 000009
【図９】
0005444575.tif 000010
【図１０】
0005444575.tif 000011
【図１１】
0005444575.tif 000012
【図１２】
0005444575.tif 000013
【図１３】
0005444575.tif 000014
【図１４】
0005444575.tif 000015